(57)【要約】      （修正有）【課題】着用者の作業性に優れ、かつこの着用者の溺死等を好適に防止することができる救命胴衣を提供する。【解決手段】浸水状態で後襟首部の浮力を増加させる第一浮力部と、ガスが充填されて膨張する第二浮力部と、上記第二浮力部にガスを充填するための吸気ノズル４と、上記第二浮力部を介してガスが充填されて膨張し、並列状に連結される複数の第三浮力部とを有している。当該救命胴衣１は、上記第二浮力部が後襟首部に設けられているとよい。当該救命胴衣は、上記第一浮力部がガス充填室とガス充填装置とを有し、このガス充填装置がガス充填室にガスを充填することによって浮力を増加させるとよい。当該救命胴衣は、上記ガス充填室が外部にガスを流出しないように構成されているとよい。【選択図】図１
2013022979.tif 000002
【特許請求の範囲】
【請求項１】
浸水状態で後襟首部の浮力を増加させる第一浮力部と、
ガスが充填されて膨張する第二浮力部と、
上記第二浮力部にガスを充填するための吸気ノズルと、
上記第二浮力部を介してガスが充填されて膨張し、並列状に連結される複数の第三浮力部と
を有する救命胴衣。
【請求項２】
上記第二浮力部が後襟首部に設けられている請求項１に記載の救命胴衣。
【請求項３】
上記第一浮力部が発泡体を有し、この発泡体によって浮力を増加させる請求項１又は請求項２に記載の救命胴衣。
【請求項４】
上記第一浮力部がガス充填室とガス充填装置とを有し、このガス充填装置がガス充填室にガスを充填することによって浮力を増加させる請求項１又は請求項２に記載の救命胴衣。
【請求項５】
上記ガス充填室が外部にガスを流出しないように構成されている請求項４に記載の救命胴衣。
【請求項６】
上記ガス充填装置が浸水状態を感知して上記ガス充填室にガスを充填する請求項４又は請求項５に記載の救命胴衣。
【請求項７】
上記第三浮力部から第二浮力部へのガスの流れを遮断するための逆止弁を有する請求項１から請求項６のいずれか１項に記載の救命胴衣。
【請求項８】
上記第二浮力部と連通される圧送ポンプを有し、上記複数の第三浮力部が各々独立してこの圧送ポンプと連通される請求項７に記載の救命胴衣。
【請求項９】
前身頃と後身頃とを有し、上記第三浮力部が、上記前身頃の右側と左側、及び上記後身頃の右側と左側とにそれぞれ設けられている請求項１から請求項８のいずれか１項に記載の救命胴衣。
【請求項１０】
上記前身頃の右側及び左側に設けられる第三浮力部の方が上記後身頃の右側及び左側に設けられる第三浮力部よりも膨張状態における体積が大きい請求項９に記載の救命胴衣。
【発明の詳細な説明】
【技術分野】
【０００１】
本発明は、救命胴衣に関する。
【背景技術】
【０００２】
ヨット、ジェットスキー、ウィンドサーフィン等のマリンスポーツや、船釣り、磯釣り等の釣りを行う時には、水中に落下したり波にさらわれた際の溺死等を防止するために予め救命胴衣を着用しておくことが好ましい。また、かかる救命胴衣は、地震によって発生する津波等の自然災害から身を守るうえでも重要な役割を果たすことが多い。しかしながら、このような救命胴衣は、着用時のごわつき感が強く、作業性に劣るのが一般的である。そのため、水上での作業時や、津波のおそれがある場合でも、水難が予想される蓋然性が高い場合以外には救命胴衣を着用しない者も多く、その結果、溺死等を防げないというケースも見受けられる。
【０００３】
このような問題を解決すべく、例えば、水上で作業等を行う際に着用しても比較的嵩張らず、作業性に優れる常時着用型の救命胴衣も発案されている（実開平６−６１６９３号公報参照）。この救命胴衣は、後身頃に浮力体を設けないことによって作業性及び通気性を高めている。しかしながら、この救命胴衣は、浮力体が前身頃にしか設けられていないので、着用者が浸水すると浮力のバランスが前身頃に偏ることになる。その結果、この救命胴衣を着用して浸水した着用者は、仰向け状態になるおそれが高く、この着用者が無意識状態である場合には、口、鼻等が水面下に沈み呼吸ができなくなるおそれがある。
【先行技術文献】
【特許文献】
【０００４】
【特許文献１】実開平６−６１６９３号公報
【発明の概要】
【発明が解決しようとする課題】
【０００５】
本発明は、このような不都合に鑑みてなされたものであり、着用時の作業性が高く、かつ溺死等を好適に防止することができる救命胴衣の提供を目的とするものである。
【課題を解決するための手段】
【０００６】
上記課題を解決するためになされた発明は、
浸水状態で後襟首部の浮力を増加させる第一浮力部と、
ガスが充填されて膨張する第二浮力部と、
上記第二浮力部にガスを充填するための吸気ノズルと、
上記第二浮力部を介してガスが充填されて膨張し、並列状に連結される複数の第三浮力部と
を有する救命胴衣である。
【０００７】
当該救命胴衣は、第一浮力部が後襟首部の浮力を増加させるように構成されている。それゆえ、当該救命胴衣によると、着用者は、浸水した場合であっても、第一浮力部で首後部を支えることによって容易に頭部を水上に表出させることができる。その結果、当該救命胴衣は、第一浮力部によって着用者の口等を水上に表出さることができ、この着用者は容易に吸気ノズルを使用することができる。当該救命胴衣は、着用者が吸気ノズルに息を吹き込むことによって第二浮力部が膨張し、また第二浮力部を介して複数の第三浮力部が膨張することによって浮力を得ることができる。従って、当該救命胴衣は、第一浮力部によって着用者に最低限の安全と吸気ノズルの好適な使用環境を提供することができ、さらに第二浮力部及び第三浮力部によって着用者の安全性を向上させることができる。当該救命胴衣は、複数の第三浮力部が並列状に連結されているので、各第三浮力部に好適にガスを充填させることができる。当該救命胴衣は、吸気ノズルによってガスが充填されていない場合、第二浮力部及び第三浮力部は膨張されていないので、着用者の作業を阻害するおそれが低く作業性に優れている。
【０００８】
当該救命胴衣は、上記第二浮力部が後襟首部に設けられているとよい。これにより、着用者の首後部をさらに好適に支持することができる。その結果、当該救命胴衣は、着用者に対し、さらに好適な呼吸環境及び吸気ノズルの使用環境を提供することができ、ひいては着用者の安全性をさらに向上させることができる。
【０００９】
当該救命胴衣は、上記第一浮力部が発泡体を有し、この発泡体によって浮力を増加させるとよい。これにより、浸水状態での後襟首部の浮力を容易に増加させることができる。
【００１０】
当該救命胴衣は、上記第一浮力部がガス充填室とガス充填装置とを有し、このガス充填装置がガス充填室にガスを充填することによって浮力を増加させるとよい。当該救命胴衣は、このような構成によっても浸水状態での後襟首部の浮力を容易に増加させることができる。
【００１１】
当該救命胴衣は、上記第一浮力部がガス充填室とガス充填装置とを有する場合にあっては、上記ガス充填室が外部にガスを流出しないように構成されているとよい。これにより、第二浮力部側のガス充填状況にかかわらず、第一浮力部で確実に首後部を支えることができ、着用者の安全性を向上させることができる。なお、「第二浮力部側」とは、第二浮力部に充填されたガスが充満する領域をいう。
【００１２】
当該救命胴衣は、上記第一浮力部がガス充填室とガス充填装置とを有する場合にあっては、上記ガス充填装置が浸水状態を感知して上記ガス充填室にガスを充填するとよい。これにより、着用者の浸水時における安全性を確保しつつ、通常時におけるごわつき感を抑えることができ、着用者の作業性をさらに向上させることができる。
【００１３】
当該救命胴衣は、上記第三浮力部から第二浮力部へのガスの流れを遮断するための逆止弁を有するとよい。これにより、一つの第三浮力部がガス漏れ等を起こした場合であっても、第二浮力部及び他の第三浮力部に充填されたガスがこのガス漏れ部から連鎖的に漏れ出すのを防止することができる。従って、当該救命胴衣は、着用者の安全性をさらに向上させることができる。
【００１４】
当該救命胴衣は、上記第二浮力部と連通される圧送ポンプを有し、上記複数の第三浮力部が各々独立してこの圧送ポンプと連通されるとよい。これにより、この圧送ポンプを用いて複数の第三浮力部に容易にガスを充填させることができる。
【００１５】
当該救命胴衣は、前身頃と後身頃とを有し、上記第三浮力部が、上記前身頃の右側と左側、及び上記後身頃の右側と左側とにそれぞれ設けられているとよい。これにより、着用者に対する浮力をバランスよく増加させることができ、着用者の安全性をさらに向上させることができる。
【００１６】
当該救命胴衣は、上記前身頃の右側及び左側に設けられる第三浮力部の方が上記後身頃の右側及び左側に設けられる第三浮力部よりも膨張状態における体積が大きいとよい。これにより、前身頃の右側及び左側に設けられる第三浮力部によって付与される浮力を後身頃の右側及び左側に設けられる第三浮力部によって付与される浮力よりも大きくすることができる。従って、当該救命胴衣は、着用者を容易に仰向け状態に保つことができ、着用者の呼吸環境を整えることでこの着用者の安全性をさらに向上させることができる。
【００１７】
なお、本発明において「並列状に連結」とは、各々の第三浮力部が独立して直接第二浮力部と連結している場合の他、各々の第三浮力部が独立して他の部材と連結され、この部材を介して第二浮力部と連結される場合も含む。
【発明の効果】
【００１８】
以上説明したように、本発明の救命胴衣は、着用者の作業性に優れ、かつこの着用者の溺死等を好適に防止することができる。
【図面の簡単な説明】
【００１９】
【図１】本発明の一実施形態に係る救命胴衣を示す模式的正面図である。
【図２】図１の救命胴衣の模式的背面図である。
【図３】図１の救命胴衣のＡ−Ａ線端面図である。
【図４】図１の救命胴衣のＢ−Ｂ線端面図である。
【図５】図１の救命胴衣の第二浮力部と複数の第三浮力部との連結構造の一例を示す図である。
【図６】図１の救命胴衣と異なる形態に係る第二浮力部と複数の第三浮力部との連結構造の一例を示す図である。
【発明を実施するための形態】
【００２０】
以下、適宜図面を参照しつつ、本発明の実施の形態を詳説する。
【００２１】
図１の救命胴衣１は、前身頃２と、後身頃３と、吸気ノズル４とを有している。また、図１の救命胴衣１は、図２に示すように、ガス充填装置７を有している。救命胴衣１は、ベスト型の衣類である。
【００２２】
前身頃２は、右前身頃５と、左前身頃６とを有している。右前身頃５と左前身頃６とはファスナーによって着脱自在に構成されている。救命胴衣１は、このファスナーによって右前身頃５と左前身頃６とが連結された状態で使用される。前身頃２の形成材料としては、特に限定されないが、一般的にはナイロン等の合成樹脂が挙げられる。前身頃５は、ナイロン等の合成樹脂で形成された表地と裏地とを有し、この表地と裏地とが周縁等で縫合されて形成されている。
【００２３】
後身頃３は、左右両肩部及び左右両脇下部で前身頃２と接合されている。後身頃３の形成材料としては、特に限定されないが、一般的には前身頃２と同様、ナイロン等の合成樹脂が挙げられる。後身頃３は、ナイロン等の合成樹脂で形成された表地と裏地とを有し、この表地と裏地とが周縁等で縫合されて形成されている。
【００２４】
図３に示すように、前身頃２及び後身頃３には、表地と裏地との間に袋状の複数の第三浮力部１１が配設されている。第三浮力部１１は、ガスを充填されることで膨張する。第三浮力部１１は、前身頃２の右側と左側（右前身頃５と左前身頃６）、及び後身頃３の右側と左側とに配設されている。右前身頃５及び左前身頃６に配設される一対の第三浮力部１１は、後身頃３の右側及び左側に配設される一対の第三浮力部１１よりも膨張状態における体積が大きくなるように形成されている。右前身頃５及び左前身頃６に設けられる各第三浮力部１１に対する後身頃３の右側及び左側に設けられる各第三浮力部１１の膨張状態における体積比としては、特に限定されないが、０．５以上０．９５以下が好ましく、０．７以上０．９以下が特に好ましい。右前身頃５及び左前身頃６に設けられる各第三浮力部１１に対する後身頃３の右側及び左側に設けられる各第三浮力部１１の膨張状態における体積比が上記範囲未満であると、浮力が十分に付与されないおそれがあり、また着用者が水中でバランスを取りにくくなるおそれがある。逆に、右前身頃５及び左前身頃６に設けられる各第三浮力部１１に対する後身頃３の右側及び左側に設けられる各第三浮力部１１の膨張状態における体積比が上記範囲を超えると、着用者が仰向け状態を保つのに困難を生じるおそれがある。
【００２５】
第三浮力部１１の形成材料としては、ガスを充填された際の圧力に耐えるものであれば特に限定されないが、ナイロン等のポリアミド系樹脂、ポリエチレンテレフタレート、ポリブチレンテレフタレート等のポリエステル系樹脂、ポリアクリロニトリル系樹脂、ポリアラミド系樹脂、ポリエチレン、ポリプロピレン、ポリブチレン、エチレン酢酸ビニル共重合体等を挙げられる。第三浮力部１１は、上述のような合成樹脂を単独又は混合して使用することができる。また、第三浮力部１１の形成材料としては、合成樹脂の他、綿糸、麻糸、羊毛等を単独又は混合して使用することもできる。
【００２６】
図４に示すように、後身頃３は、表地と裏地との間にガス充填室９と第二浮力部１０とを有している。ガス充填室９と第二浮力部１０とは、互いに非連通となるように構成されている。ガス充填室９とガス充填装置７とは、浸水状態で後襟首部の浮力を増加させる第一浮力部を構成している。
【００２７】
ガス充填室９は、ガス充填装置７によってガスを充填されて膨張し、後襟首部の浮力を増加させる。ガス充填室９は、後襟首部に設けられている。ガス充填室９の形成材料としては、特に限定されないが、一般的には第三浮力部１１と同様のものを挙げられる。
【００２８】
ガス充填装置７は、炭酸ガス等の圧縮ガスを充填したガスボンベを有している。ガスボンベにはガス噴射口が設けられている。ガスボンベとガス充填室９とはガス噴射口を介して連通されている。ガス噴射口には開閉弁としての封板が設けられている。ガス充填装置７は、浸水口を有している。ガス充填装置７は、浸水口への水の浸入を感知する水感知センサーを有している。また、ガス充填装置７は、封板を開くための作動レバー及びこの作動レバーに接続された紐を有している。ガス充填装置７の動作について説明する。ガス充填装置７は、浸水口に水が入ると、水感知センサーが反応して封板を開く。これにより、ガスボンベに充填されている圧縮ガスは噴射口からガス充填室９に吹き込まれ、ガス充填室９がガスで充填される。また、ガス充填装置７は、作動レバーに接続された紐を引っ張ることによっても封板を開くことができるので、水感知センサーが反応しなかった場合でも、必要に応じて着用者が紐を引っ張ることによりガス充填室９にガスを充填することができる。
【００２９】
ガス充填装置７は、図２に示すように、防水カバー８で覆われている。防水カバー８は、上端及び左右端において後身頃３と縫合されている。当該救命胴衣１は、防水カバー８を備えることにより、着用者が雨や水しぶきを浴びた場合等、浸水時以外の場合に水感知センサーが反応し、ガス充填室９に誤ってガスが充填されるのを防止している。
【００３０】
第二浮力部１０は、袋状に形成されている。第二浮力部１０は、ガスを充填されて膨張する。第二浮力部１０は、吸気口（図示せず）において吸気ノズル４と連結されている。第二浮力部１０は、後襟首部に設けられている。第二浮力部１０の形成材料としては、特に限定されないが、一般的には第三浮力部１１と同様のものを挙げられる。
【００３１】
吸気ノズル４は、第二浮力部１１にガスを充填するためのものである。吸気ノズル４は、着用者に先端側から息を吹き込まれることによって第二浮力部１１にガスを充填する。吸気ノズル４は、着用者が息を吹き込みやすいよう、前身頃２の上端付近に設けられている。
【００３２】
次に、図５を参照して、第二浮力部１０と第三浮力部１１との連結構造について説明する。第三浮力部１１は、前身頃２の右側と左側、及び後身頃３の右側と左側とにそれぞれ設けられている。各第三浮力部１１は、第二浮力部１０に対して並列状に連結されている。具体的には、第二浮力部１０と各第三浮力部１１とは、管状部材によって直接的に連結されている。各第三浮力部１１同士は、互いに第二浮力部１０を介してのみ間接的に連結されている。また、第二浮力部１０と各第三浮力部１１とを連結する管状部材には第三浮力部１１との連結部付近で逆止弁が設けられている。これらの逆止弁は、第二浮力部１０から第三浮力部１１へ流れるガスは通過させる一方、第三浮力部１１から第二浮力部１０へのガスの流れについては遮断する。さらに、吸気ノズル４と第二浮力部１０との連結部付近にも逆止弁が設けられている。この逆止弁は、吸気ノズル４から第二浮力部１０へ吹き込まれるガスは通過させる一方、第二浮力部１０から吸気ノズル４へのガスの流れは遮断する。
【００３３】
続いて第二浮力部１０及び第三浮力部１１へのガスの充填方法について説明する。まず、着用者は、吸気ノズル４から息を吹き込み、第二浮力部１０にガスを充填させる。当該救命胴衣１は、第二浮力部１０と第三浮力部１１とが並列状に連結されているので、第二浮力部１０に吹き込まれたガスは、第二浮力部１０を介して各第三浮力部１１に充填されていく。当該救命胴衣１は、吸気ノズル４と第二浮力部１０との間、及び第二浮力部１０と各第三浮力部１１との間に逆止弁が設けられているので、第二浮力部１０及び第三浮力部１１側から吸気ノズル４側へのガスの流れを防止することができ、着用者は、第二浮力部１０及び複数の第三浮力部１１に容易にガスを充填させることができる。
【００３４】
当該救命胴衣１は、第一浮力部が後襟首部の浮力を増加させるように構成されている。それゆえ、当該救命胴衣１によると、着用者は、浸水した場合であっても、第一浮力部で首後部を支えることによって容易に頭部を水上に表出させることができる。その結果、当該救命胴衣１は、第一浮力部によって着用者の口等を水上に表出さることができ、この着用者は容易に吸気ノズル４を使用することができる。当該救命胴衣１は、着用者が吸気ノズル４に息を吹き込むことによって第二浮力部１０が膨張し、また第二浮力部１０を介して複数の第三浮力部１１が膨張することによって浮力を得ることができる。従って、当該救命胴衣１は、第一浮力部によって着用者に最低限の安全と吸気ノズル４の好適な使用環境を提供することができ、さらに第二浮力部１０及び第三浮力部１１によって着用者の安全性を向上させることができる。当該救命胴衣１は、複数の第三浮力部１１が並列状に連結されているので、各第三浮力部１１に好適にガスを充填させることができる。当該救命胴衣１は、吸気ノズル４によってガスが充填されていない場合、第二浮力部１０及び第三浮力部１１は膨張されていないので、着用者の作業を阻害するおそれが低く作業性に優れている。
【００３５】
当該救命胴衣１は、第二浮力部１０が後襟首部に設けられているので、着用者の首後部をさらに好適に支持することができる。その結果、当該救命胴衣１は、着用者に対し、さらに好適な呼吸環境及び吸気ノズル４の使用環境を提供することができ、ひいては着用者の安全性をさらに向上させることができる。
【００３６】
当該救命胴衣１は、ガス充填室９が外部にガスを流出しないように構成されているので、第二浮力部１０側のガス充填状況にかかわらず、第一浮力部で確実に首後部を支えることができ、着用者の安全性を向上させることができる。
【００３７】
当該救命胴衣１は、ガス充填装置７がガス充填室９にガスを充填することによって浮力を増加させるので、浸水状態での後襟首部の浮力を容易に増加させることができる。
【００３８】
当該救命胴衣１は、ガス充填装置７が浸水状態を感知してガス充填室９にガスを充填するので、着用者の浸水時における安全性を確保しつつ、通常時におけるごわつき感を抑えることができ、着用者の作業性をさらに向上させることができる。
【００３９】
当該救命胴衣１は、第三浮力部１１から第二浮力部１０へのガスの流れを遮断するための逆止弁１２を有しているので、一つの第三浮力部１１がガス漏れ等を起こした場合であっても、第二浮力部１０及び他の第三浮力部１１に充填されたガスがこのガス漏れ部から連鎖的に漏れ出すのを防止することができる。従って、当該救命胴衣１は、着用者の安全性をさらに向上させることができる。また、当該救命胴衣１は、吸気ノズル４側が水上に表出され、第三浮力部１１側が水中に沈んだ状態で、第二浮力部１０及び第三浮力部１１にガスが充填される場合が多いので、第三浮力部１１に充填されたガスには第二浮力部１０側に逆流しようとする力が働くことが考えられる。しかしながら、当該救命胴衣１は、逆止弁１２を有することにより、第二浮力部１０及び第三浮力部１１にガスを好適に充填させることができ、ひいては着用者の安全性を高めることができる。
【００４０】
当該救命胴衣１は、第三浮力部１１が、前身頃２の右側と左側、及び後身頃３の右側と左側とにそれぞれ設けられているので、着用者に対する浮力をバランスよく増加させることができ、着用者の安全性をさらに向上させることができる。
【００４１】
当該救命胴衣１は、前身頃２の右側及び左側に設けられる第三浮力部１１の方が後身頃３の右側及び左側に設けられる第三浮力部よりも膨張状態における体積が大きいので、前身頃２の右側及び左側に設けられる第三浮力部１１によって付与される浮力を後身頃３の右側及び左側に設けられる第三浮力部１１によって付与される浮力よりも大きくすることができる。従って、当該救命胴衣１は、着用者を容易に仰向け状態に保つことができ、着用者の呼吸環境を整えることでこの着用者の安全性をさらに向上させることができる。
【００４２】
当該救命胴衣１は、第二浮力部１０がガス充填室９よりも背面側に設けられているので、ガス充填室９上に頭部が保持されている状態であっても、第二浮力部１０が頭部からの圧力を直接には受けることがない。従って、当該救命胴衣１は、第二浮力部１０にガスを比較的容易に充填させることができ、ひいては第二浮力部１０及び第三浮力部１１へのガスの充填効率を向上させることができる。
【００４３】
なお、本発明の救命胴衣は、上記態様の他、種々の変更、改良を施した態様で実施することができる。
【００４４】
例えば、当該救命胴衣は、図６に示すように、第二浮力部１０と連結される圧送ポンプ２２を有し、複数の第三浮力部１１が各々独立して圧送ポンプ２２と連結されていてもよい。圧送ポンプ２２は、袋状に形成されている。圧送ポンプ２２は、救命胴衣２１の左右の肩部付近に配設されている。圧送ポンプ２２は第二浮力部１０側へのガスの流れを防止するための逆止弁２３を有している。圧送ポンプ２２の形成材料としては、特に限定されないが、一般的には第三浮力部１１と同様のものを挙げられる。救命胴衣２１は、吸気ノズル４と第二浮力部１０との間、及び第二浮力部２と複数の第三浮力部１１との間に逆止弁１２が配設されている。
【００４５】
圧送ポンプ２２は、着用者が掌等で押圧することでガスを第三浮力部１１に送る。圧送ポンプ２２は、肩部付近に設けられているが、肩部付近は着用者が浸水状態にあっても比較的容易に水上に表出させやすい部位である。それゆえ、着用者は、吸気ノズル４から息を吹き込むことによって、比較的容易に圧送ポンプ２２にガスを充填させることができる。当該救命胴衣１は、圧送ポンプ２２までガスが充填されると、後は掌等によって第三浮力部１１までガスを送ることができるので、第三浮力部１１へのガスの充填容易性を向上させることができ、ひいては着用者の安全性をさらに向上させることができる。
【００４６】
当該救命胴衣２１は、圧送ポンプ２２を用いて複数の第三浮力部１１に容易にガスを充填させることができる。なお、圧送ポンプ２２は、必ずしも左右一対設けられている必要はなく、また肩部付近に配設されていなくてもよいが、着用者が浸水した場合でも比較的容易に水上に表出させることができる部位に配設されていることが好ましい。
【００４７】
第一浮力部は、必ずしも、ガス充填室とガス充填装置とを有している必要はなく、例えば発泡体を有し、この発泡体によって浮力を増加させてもよい。当該救命胴衣は、第一浮力部が発泡体によって形成されている場合であっても、浸水状態での後襟首部の浮力を容易に増加させることができる。
【００４８】
当該救命胴衣は、第一浮力部と第二浮力部とが連通されていてもよい。例えば、当該救命胴衣は、第一浮力部がガス充填室とガス充填装置とを有し、かつこのガス充填室と第二浮力部とが管状部材によって連通されていてもよい。さらに、当該救命胴衣は、ガス充填室と第二浮力部との間に、第二浮力部からガス充填室へ流れるガスを通過させる一方、ガス充填室から第二浮力部へのガスの流れを遮断する逆止弁を備えていてもよい。当該救命胴衣は、このような構成によると、ガス充填室にガスが十分に充填されていない場合であっても、吸気ノズルから息を吹き込むことによって、第二浮力部を介してガス充填室にガスを充填することができ、ひいては着用者の安全性をさらに向上させることができる。なお、当該救命胴衣は、必ずしも着用者がガス充填装置の作動レバーに接続された紐を引っ張ることによってガス充填室にガスが充填されるように構成されていなくてもよい。
【００４９】
当該救命胴衣は、必ずしも第二浮力部が後襟首部に設けられている必要はなく、肩部、胸部等に設けられていてもよい。
【００５０】
当該救命胴衣は、必ずしも第三浮力部から第二浮力部へのガスの流れを遮断するための逆止弁、及び第二浮力部から吸気ノズルへのガスの流れを遮断するための逆止弁を有している必要はない。当該救命胴衣は、これらの逆止弁を有していない場合であっても、ガス充填後に吸気ノズルの息吹き込み口を閉じることによって、第二浮力部及び複数の第三浮力部に充填したガスが外部に漏れるのを防止することができる。
【産業上の利用可能性】
【００５１】
以上のように、本発明の救命胴衣は、着用者の作業性に優れ、かつこの着用者の溺死等を好適に防止することができ、マリンスポーツや釣りを行う場合、又は地震によって発生する津波等の自然災害から身を守る場合等に好適に用いられる。
【符号の説明】
【００５２】
１  救命胴衣
２  前身頃
３  後身頃
４  吸気ノズル
５  右前身頃
６  左前身頃
７  ガス充填装置
８  防水カバー
９  ガス充填室
１０  第二浮力部
１１  第三浮力部
１２  逆止弁
２１  救命胴衣
２２  圧送ポンプ
２３  逆止弁
【図１】
2013022979.tif 000003
【図２】
2013022979.tif 000004
【図３】
2013022979.tif 000005
【図４】
2013022979.tif 000006
【図５】
2013022979.tif 000007
【図６】
2013022979.tif 000008